(57)【要約】【課題】構造が簡素で組立・分解が容易である上、車内の内装及び車体構造を壊す必要が無く、各種車両のサイズに適用させることができる自動車用エクステンションテーブルを提供する。【解決手段】自動車用エクステンションテーブルは、トランク１内に着脱可能に支えられ、トランク１は、支持係合方向１２で間隔をおいて設置された２つの内壁面１１を有するとともに、１つの支持固定ユニット２と、１つの移動ユニット３とを備える。支持固定ユニット２は、トランク１の内壁面１１間に平らに置く固定フレーム２１と、支持係合方向１２で固定フレーム２１から互いに対向した内壁面１１に向かって延びた伸縮ロッド２２とを有する。伸縮ロッド２２は、調整して伸縮させて固定フレーム２１と、互いに対向した内壁面１１との間で着脱可能に支えられる。【選択図】図１
0003228121.tif 000002
【実用新案登録請求の範囲】
【請求項１】
トランク内に着脱可能に支えられ、前記トランクは、支持係合方向で間隔をおいて設置された２つの内壁面を有するとともに、１つの支持固定ユニットと、１つの移動ユニットと、を備えた自動車用エクステンションテーブルであって、
前記支持固定ユニットは、前記トランクの前記内壁面間に平らに置く固定フレームと、支持係合方向で前記固定フレームから互いに対向した前記内壁面に向かって延びた伸縮ロッドと、を有し、前記伸縮ロッドは、調整して伸縮させて前記固定フレームと、互いに対向した前記内壁面との間で着脱可能に支え、
前記移動ユニットは、物品を置く１つの物入れと、支持係合方向に対して垂直な展開収納方向で延びた２つの第１のスライドレール群と、を有し、前記第１のスライドレール群は、前記物入れと前記固定フレームとの間に接続され、前記物入れが前記固定フレームにより前記トランクの内方に収納される収納位置と、前記トランクの外方に延びた展開位置との間で摺動可能であることを特徴とする、自動車用エクステンションテーブル。
【請求項２】
前記物入れは、１つの底壁と、支持係合方向で間隔をおいて設置され、前記底壁に互いに対向して設けられた２つの第１の側壁と、展開収納方向で間隔をおいて設置され、前記底壁の互いに対向した２つの第２の側壁と、を有し、
前記底壁、前記第１の側壁及び前記第２の側壁を組み合わせて１つの開口を上向きに形成し、物入れ空間が形成されることを特徴とする請求項１に記載の自動車用エクステンションテーブル。
【請求項３】
前記伸縮ロッドは、１つの支柱部と、前記支柱部の外周に嵌設され、旋回させることにより前記支柱部が移動伸縮する回転調整部と、を有し、各前記伸縮ロッドを支持係合方向で内方に収縮させ、互いに対向した前記内壁面に押し付けられていない短縮状態と、外方に延ばされ、前記内壁面に押し付けられた伸長状態との間で変化可能なことを特徴とする請求項２に記載の自動車用エクステンションテーブル。
【請求項４】
前記固定フレームは、前記第１の側壁の外側底部の２つのサイド杆と、前記サイド杆に接続された少なくとも１つの連結ロッドと、を有し、
各前記第１のスライドレール群は、互いに対応した前記サイド杆と前記第１の側壁の外側底部との間に配設されることを特徴とする請求項３に記載の自動車用エクステンションテーブル。
【請求項５】
１つの延伸ユニットをさらに備え、
前記延伸ユニットは、前記物入れの底部に対応し、物品を載置する１つのテーブル台と、展開収納方向で延びた２つの第２のスライドレール群と、を有し、
前記第２のスライドレール群は、前記テーブル台と前記物入れとの間にそれぞれ接続され、前記テーブル台は、前記物入れ底部を内方で収納するテーブル収納位置と、前記物入れ底部のテーブル展開位置との間で摺動することを特徴とする請求項１〜４の何れか１項に記載の自動車用エクステンションテーブル。
【請求項６】
前記延伸ユニットは、前記テーブル台の底部を支えて折り畳み可能な少なくとも１つのテーブル脚と、前記テーブル台が収納位置にあるとき、少なくとも１つの前記テーブル脚を内方に折り畳んで前記テーブル台の底部に平らに置き、前記テーブル台が展開位置にあるとき、少なくとも１つの前記テーブル脚を外方かつ下向きに引き出して前記テーブル台の底部を支えることを特徴とする請求項５に記載の自動車用エクステンションテーブル。
【請求項７】
前記延伸ユニットは、高さが調整可能な２つの前記テーブル脚を有することを特徴とする請求項６に記載の自動車用エクステンションテーブル。
【請求項８】
前記延伸ユニットは、前記テーブル台と前記テーブル脚との間に折り畳み可能に斜めに接続され、前記テーブル脚を支える筋交いを有することを特徴とする請求項７に記載の自動車用エクステンションテーブル。
【考案の詳細な説明】
【技術分野】
【０００１】
本考案は、自動車用エクステンションテーブルに関するものである。
【背景技術】
【０００２】
レジャー・ツーリズムの人気の高まりに伴い、自動車の一部の使用者は、折り畳んだり展開したりすることができる自動車用テーブルを自動車に取付け、必要なときに車外まで延ばして食べ物、飲み物その他の物品をその上に置くことができたため便利であった。しかし、自動車用テーブルは、取付ける車両のサイズに合わせる必要があったため、他の車両に利用することができず、車内に固定しなければならなかったため取り外すことが困難であり、それ自体の構造が複雑である上、自動車の内装及び車体構造を壊さなければならないこともあったため、使用しないときに取り外して原状を回復させることは容易でなかった。
【考案の概要】
【考案が解決しようとする課題】
【０００３】
本考案の目的は、支持固定ユニットと移動ユニットとを組み合わせて使用し、自動車用エクステンションテーブルをトランクから取り外すかトランク内に位置決めさせることができ、構造が簡素で組立・分解が容易である上、車内の内装及び車体構造を壊す必要が無く、各種車両のサイズに適用させることができる自動車用エクステンションテーブルを提供することにある。
【課題を解決するための手段】
【０００４】
上記課題を解決するために、本考案の第１の形態によれば、トランク内に着脱可能に支えられ、前記トランクは、支持係合方向で間隔をおいて設置された２つの内壁面を有するとともに、１つの支持固定ユニットと、１つの移動ユニットと、を備えた自動車用エクステンションテーブルであって、前記支持固定ユニットは、前記トランクの前記内壁面間に平らに置く固定フレームと、支持係合方向で前記固定フレームから互いに対向した前記内壁面に向かって延びた伸縮ロッドと、を有し、前記伸縮ロッドは、調整して伸縮させて前記固定フレームと、互いに対向した前記内壁面との間で着脱可能に支え、前記移動ユニットは、物品を置く１つの物入れと、支持係合方向に対して垂直な展開収納方向で延びた２つの第１のスライドレール群と、を有し、前記第１のスライドレール群は、前記物入れと前記固定フレームとの間に接続され、前記物入れが前記固定フレームにより前記トランクの内方に収納される収納位置と、前記トランクの外方に延びた展開位置との間で摺動可能であることを特徴とする、自動車用エクステンションテーブルを提供する。
【図面の簡単な説明】
【０００５】
【図１】本考案の一実施形態に係る自動車用エクステンションテーブルを示す斜視図である。
【図２】本考案の一実施形態に係る自動車用エクステンションテーブルを示す分解斜視図である。
【図３】本考案の一実施形態に係る自動車用エクステンションテーブルを示す側面図である。
【図４】図３に類似した本考案の一実施形態に係る自動車用エクステンションテーブルの動作状態を示す説明図である。
【図５】図４に類似した本考案の一実施形態に係る自動車用エクステンションテーブルの使用状態を示す説明図である。
【図６】図１に類似した本考案の一実施形態に係る自動車用エクステンションテーブルの使用状態を示す斜視図である。
【考案を実施するための形態】
【０００６】
図１〜図３を参照する。図１〜図３に示すように、本考案の一実施形態に係る自動車用エクステンションテーブルは、１つのトランク１内に着脱可能に支えられる。トランク１は、縦方向に延びるとともに、１つの支持係合方向１２で間隔をおいて設置された２つの内壁面１１を有する。本実施形態のトランク１は、自動車のトランクであり、支持係合方向１２は左右方向で説明するが、これだけに限定されるわけではない。本実施形態の自動車用エクステンションテーブルは、１つの支持固定ユニット２と、１つの移動ユニット３と、１つの延伸ユニット４と、を含む。
【０００７】
支持固定ユニット２は、トランク１の複数の内壁面１１間に平らに置く固定フレーム２１と、支持係合方向１２で固定フレーム２１から互いに対向した内壁面１１に向かって延びた伸縮ロッド２２と、を有する。固定フレーム２１は、支持係合方向１２に対して垂直な展開収納方向１３で延び、支持係合方向１２で間隔をおいて配列された２つのサイド杆２１１と、支持係合方向１２で延びて複数のサイド杆２１１に接続された１つの連結ロッド２１２と、を有する。本実施形態の展開収納方向１３は、トランク１に出し入れ可能な方向であるが、本考案はこれだけに限定されず、連結ロッド２１２の数を増やしてもよいし、連結ロッド２１２の形態を変えてもよい。例えば、連結ロッド２１２の数は、２つ、３つなどでもよいし、連結ロッド２１２は１枚の平板でもよい。各伸縮ロッド２２は、１つの支柱部２２１と、支柱部２２１の外周に嵌設され、旋回させることにより支柱部２２１が移動伸縮する回転調整部２２２と、を有し、実際に使用するときは、伸縮ロッド２２を支持係合方向１２で固定フレーム２１に向かって収縮させ、互いに対向した内壁面１１に押し付けられていない短縮状態と（図１を参照する）、固定フレーム２１に互いに反対方向に延ばされ、内壁面１１に押し付けられた伸長状態と（図６を参照する）の間で変化する。即ち、各伸縮ロッド２２は、調整して伸縮させることができ、固定フレーム２１と、対応した内壁面１１との間で着脱可能に支えることができる。
【０００８】
移動ユニット３は、底部が複数のサイド杆２１１間に位置する物入れ３１と、物入れ３１と固定フレーム２１との間に接続された２つの第１のスライドレール群３２と、を含む。物入れ３１は、１つの底壁３１１と、支持係合方向１２で間隔をおいて設置され、底壁３１１の互いに対向した２つの第１の側壁３１２と、展開収納方向１３で間隔をおいて設置され、底壁３１１の互いに対向した２つの第２の側壁３１３と、を有する。底壁３１１、複数の第１の側壁３１２及び複数の第２の側壁３１３を組み合わせて開口を上向きに形成し、物品を置く物入れ空間３３を形成する。各第１のスライドレール群３２は、展開収納方向１３で延び、互いに対応したサイド杆２１１と第１の側壁３１２の外側底部との間に配設され、物入れ３１が固定フレーム２１の内側でトランク１の収納位置（図３を参照する）と、外方向で延びたトランク１の展開位置（図４を参照する）との間で摺動可能である。
【０００９】
延伸ユニット４は、物入れ３１の底部に対応し、延ばして物品を載置することができるテーブル台４１と、テーブル台４１と物入れ３１との間にそれぞれ接続された２つの第２のスライドレール群４２と、を含む。テーブル台４１は、水平に設置された頂板である。上述した第２のスライドレール群４２は、展開収納方向１３で延び、テーブル台４１の両側と、複数の第１の側壁３１２の内側底部との間にそれぞれ設置されるため、テーブル台４１により物入れ３１の底部を１つの内方向で収納するテーブル収納位置（図４を参照する）と、物入れ３１の底部のテーブル展開位置（図５を参照する）との間で摺動する。
【００１０】
延伸ユニット４は、テーブル台４１の底部を支えて折り畳み可能な２つのテーブル脚４３と、テーブル台４１と複数のテーブル脚４３との間に折り畳み可能に斜めに接続され、複数のテーブル脚４３を支える筋交い４４と、を含む。テーブル台４１を収納位置にするとき、複数のテーブル脚４３を内方に折り畳んでテーブル台４１底部に平らに置くことができる。またテーブル台４１を展開位置にするとき、複数のテーブル脚４３を外方かつ下向きに引き出すとテーブル台４１の底部を直接支えることができる。各テーブル脚４３は、高さが調整可能な杆体であり、トランク１の高さに応じて地面５上で支えることができ（図５を参照する）、高さが調整可能な構造は従来技術に属するため、ここでは詳しく説明しない。ここで複数のテーブル脚４３及び複数の筋交い４４の数は２つのみに限定されず、他の実施形態では１つでもよい。
【００１１】
実際に組立てるときは、自動車用エクステンションテーブルを図３に示すように、トランク１内に収納し、複数の伸縮ロッド２２を調整して図１の短縮状態から図６の伸長状態にし、支えてトランク１内で位置決めすることができるため、揺れて位置がずれることを防ぐ。使用者が物品を置くか取り出すときは、直接身を屈めてトランク１内の物入れ３１中に直接物品を置くか取り出すことができるが、勿論、先に物入れ３１を図３の収納位置から図４の展開位置まで引き出し、物入れ３１をトランク１から滑り出した後、物入れ３１中に物品を置くか物入れ３１中から物品を取り出してもよい。そのため、腰を屈めてトランク１に入る必要が無いため、容易に物品を置くか取り出すことができる。また、使用者が自動車用エクステンションテーブルの使用形態を変えたい場合、テーブルをトランク１から外側に延ばして使用する際に、テーブル台４１を引き出し、テーブル台４１を図４のテーブルを収容位置から図５及び図６のテーブル展開位置まで延ばすと、複数のテーブル脚４３により地面５で支え、テーブル台４１上に物品を置くことができる。また、使用者が図３中の自動車用エクステンションテーブルを別のトランク１に取付けるか、使用しない場合、使用者は複数の伸縮ロッド２２を調整して伸長状態から短縮状態にし、自動車用エクステンションテーブルを図１に示すようにトランク１から取出すことができる。
【００１２】
上述したことから分かるように、本考案の自動車用エクステンションテーブルは、支持固定ユニット２と移動ユニット３とを組み合わせて使用し、自動車用エクステンションテーブルをトランク１から取り外すかトランク１内に位置決めさせることができ、構造が簡素で組立・分解が容易である上、車内の内装及び車体構造を壊す必要が無く、各種車両のサイズに適用させることができる。
【符号の説明】
【００１３】
１  トランク
２  支持固定ユニット
３  移動ユニット
４  延伸ユニット
５  地面
１１  内壁面
１２  支持係合方向
１３  展開収納方向
２１  固定フレーム
２２  伸縮ロッド
３１  物入れ
３２  第１のスライドレール群
３３  物入れ空間
４１  テーブル台
４２  第２のスライドレール群
４３  テーブル脚
４４  筋交い
２１１  サイド杆
２１２  連結ロッド
２２１  支柱部
２２２  回転調整部
３１１  底壁
３１２  第１の側壁
３１３  第２の側壁
【図１】
0003228121.tif 000003
【図２】
0003228121.tif 000004
【図３】
0003228121.tif 000005
【図４】
0003228121.tif 000006
【図５】
0003228121.tif 000007
【図６】
0003228121.tif 000008